(57)【要約】【課題】本体ユニット内の点検時、部品の脱着を容易にでき、かつ、高所での危険な作業を軽減できることを目的とする。【解決手段】圧縮機１と第一熱交換器２と第二熱交換器３を設置するベースパネル１０を設け、ベースパネル１０を分割したという構成にしたことにより、ベースパネル１０を分割毎に各々、本体ユニット９の下方から着脱することとなるので、本体ユニット９内の点検時、部品の脱着を容易にでき、かつ、高所での危険な作業を軽減できる換気空調装置を得られる。【選択図】図１
2012193935.tif 000002
【特許請求の範囲】
【請求項１】
冷媒を圧縮するための圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを箱状の外郭内に配し、外郭内部には通風路を形成する循環ファンを有す送風機ユニットを配し、側面には他室または浴室内の空気を排気する排気ファンを有す排気ユニットを配した本体ユニットにおいて、前記圧縮機と前記第一熱交換器と前記第二熱交換器を設置するベースパネルを設け、前記ベースパネルを分割したことを特徴とする換気空調装置。
【請求項２】
分割したベースパネルの第二熱交換器側を、ドレンパンとしたことを特徴とする請求項１に記載の換気空調装置。
【請求項３】
ドレンパンに、コの字の取付具を設け、外郭と脱着できることを特徴とする請求項１または２に記載の換気空調装置。
【請求項４】
ドレンパンを外した時に、ドレンポンプが現れるように外郭に設置することを特徴とする請求項１〜３のいずれかに記載の換気空調装置。
【請求項５】
ドレンポンプを、外郭から取り外せる構成としたことを特徴とする請求項４に記載の換気空調装置。
【請求項６】
ドレンパンを外した時に、本体ユニットと送風機ユニットとの連結部に設けたダンパーが現れるように外郭に設置することを特徴とする請求項１〜４のいずれかに記載の換気空調装置。
【請求項７】
ダンパーを、外郭から取り外せる構成としたことを特徴とする請求項６に記載の換気空調装置。
【請求項８】
圧縮機側ベースパネルに、コの字の取付具を設け、外郭と着脱可能としたことを特徴とする請求項１に記載の換気空調装置。
【発明の詳細な説明】
【技術分野】
【０００１】
本発明は、冷凍サイクルを構成し圧縮機を搭載した換気空調装置に関するものである。
【背景技術】
【０００２】
従来、この種の換気空調装置は、冷媒回路を設けた冷凍サイクルを本体の外郭内に配し、この本体側面にはチャンバーユニットと送風ユニットとを備え、枠体にチャンバーユニットと送風ユニットを設置後、本体を設置位置に案内する案内構造体を設けた構成にされたものが知られている（例えば、特許文献１参照）。
【０００３】
以下、その換気空調装置について、図７参照しながら説明する。
【０００４】
図７に示すように、冷凍回路を設けた冷凍サイクルを備えた本体１０１と、多室の空気を取り入れるチャンバーユニット１０２と、汚れた空気を排気する送風ユニット１０３とを備え、本体１０１とチャンバーユニット１０２と送風ユニット１０３は、天井裏に吊り下げられるようにして設け、かつ、本体１０１を設置する位置に案内する案内構造体１０４を設けた枠体を介して接続されており、本体１０１は案内構造体１０４に設置され取付けられる構造としている。
【先行技術文献】
【特許文献】
【０００５】
【特許文献１】特開２００９−１２１７０２号公報
【発明の概要】
【発明が解決しようとする課題】
【０００６】
このような従来の換気空調装置においては、本体ユニットの本体ベースに空気を吹出す循環ファンユニットと、空気を室外へ排気する排気ファンユニットと、冷媒を圧縮するコンプレッサーと、冷媒を熱交換する凝縮器や蒸発器などの重量物を備えており、内部の点検時には本体ベースを脱着しなければならなく、高所の作業のために危険を伴うとともに、内部部品のメンテナンスに工数がかかる、という課題を有していた。
【０００７】
そこで本発明は、上記従来の課題を解決するものであり、本体ユニット内の点検時、部品の脱着を容易にでき、かつ、高所での危険な作業を軽減できる浴室換気空調装置を提供することを目的とする。
【課題を解決するための手段】
【０００８】
そして、この目的を達成するために、本発明は、冷媒を圧縮するための圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを箱状の外郭内に配し、外郭内部には通風路を形成する循環ファンを有す送風機ユニットを配し、側面には他室または浴室内の空気を排気する排気ファンを有す排気ユニットを配した本体ユニットにおいて、前記圧縮機と前記第一熱交換器と前記第二熱交換器を設置するベースパネルを設け、前記ベースパネルを分割したものであり、これにより所期の目的を達成するものである。
【発明の効果】
【０００９】
本発明によれば、冷媒を圧縮するための圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを箱状の外郭内に配し、外郭内部には通風路を形成する循環ファンを有す送風機ユニットを配し、側面には他室または浴室内の空気を排気する排気ファンを有す排気ユニットを配した本体ユニットにおいて、前記圧縮機と前記第一熱交換器と前記第二熱交換器を設置するベースパネルを設け、前記ベースパネルを分割した、という構成にしたことにより、ベースパネルを分割毎に各々、本体ユニットの下方から着脱するので、本体ユニット内の点検時、部品の脱着を容易にでき、かつ、高所での危険な作業を軽減できるという効果を得ることができる。
【図面の簡単な説明】
【００１０】
【図１】本発明の実施の形態１の換気空調装置の構成を示す平面図
【図２】同換気空調装置の同側面図
【図３】本発明の実施の形態２の換気空調装置のドレンポンプの斜視図
【図４】同換気空調装置のドレンポンプを設置した状態の構成図
【図５】本発明の実施の形態２の換気空調装置のダンパーの斜視図
【図６】同換気空調装置のダンパーを設置した状態の構成図
【図７】従来の換気空調装置の構成図
【発明を実施するための形態】
【００１１】
本発明の請求項１記載の換気空調装置は、冷媒を圧縮するための圧縮機と、通過する空気に放熱するための第一熱交換器と、前記冷媒を膨張するための膨張機構と、前記通過する空気から吸熱するための第二熱交換器とを順に連結し、前記冷媒を流通させるための冷媒回路を設けた冷凍サイクルを箱状の外郭内に配し、外郭内部には通風路を形成する循環ファンを有す送風機ユニットを配し、側面には他室または浴室内の空気を排気する排気ファンを有す排気ユニットを配した本体ユニットにおいて、前記圧縮機と前記第一熱交換器と前記第二熱交換器を設置するベースパネルを設け、前記ベースパネルを分割したという構成を有する。これにより、ベースパネルを分割毎に各々、本体ユニットの下方から着脱するので、本体ユニット内の点検時、部品の脱着を容易にでき、かつ、高所での危険な作業を軽減できるという効果を奏する。
【００１２】
また、分割したベースパネルの第二熱交換器側を、ドレンパンとしたという構成にしてもよい。これにより、ドレンパンで第二熱交換器より発生した結露水を排出可能となり、そのドレンパンでの単品で着脱するとなるので、ドレンパン単品での着脱が可能なためメンテナンス時、高所での作業が容易にできるとともに、ドレンパンを取外すことで、本体ユニットの開口より本体ユニット内部の構成部品のメンテナンスができるという効果を奏する。
【００１３】
また、ドレンパンに、コの字の取付具を設け、外郭と脱着できるという構成にしてもよい。これにより、コの字の取付具を介して外郭とドレンパンが固定されているため、ドレンパンの下方よりの取外しが可能となり、かつ、本体ユニットを反転することなく外郭の取付けをするとなるので、組立時、コの字の取付具を締結したドレンパンに外郭を被せての組立てが可能なため、一方向からのねじ止めができ、作業者の負担および工数を軽減できるという効果を奏する。
【００１４】
また、ドレンパンを外した時に、ドレンポンプが現れるように外郭に設置するという構成にしてもよい。これにより、ドレンパンを外して本体下方より目視できる外郭の内壁に固定したドレンポンプ取付板に締結したドレンポンプを配置させるとなるので、本体ユニット下方よりドレンポンプの確認ができ、本体ユニットに装着した状態でお手入れができるという効果を奏する。
【００１５】
また、ドレンポンプを、外郭から取り外せるという構成にしてもよい。これにより、ドレンパンを、外した状態で本体下部の開口より、外郭に固定したドレンポンプ取付板の締結部が外せる位置に配置したとなるので、本体ユニット下方よりドレンポンプの確認、着脱が可能となり、ドレンポンプのお手入れ、メンテナンスが容易にできるという効果を奏する。
【００１６】
また、ドレンパンを外した時に、本体ユニットと排気ユニットとの連結部に設けたダンパーが現れるように外郭に設置するという構成にしてもよい。これにより、ドレンパンを外して本体下方より目視できる位置で、排気ユニットの連結部である外郭の内壁に、ダンパーを配置させたとなるので、本体ユニット下方よりダンパーの確認ができ、本体ユニットに装着した状態でお手入れができるという効果を奏する。
【００１７】
また、ダンパーを、外郭から取り外せるという構成にしてもよい。これにより、ドレンパンを外した状態で本体下部の開口より、外郭に固定したダンパーが外せる位置に配置したとなるので、本体ユニット下方よりダンパ−の確認、着脱が可能となり、ダンパ−のお手入れ、メンテナンスが容易にできるという効果を奏する。
【００１８】
また、圧縮機側ベースパネルに、コの字の取付具を設け、外郭と着脱可能としたという構成にしてもよい。これにより、圧縮機側ベースパネルの下方よりの取外しが可能となり、かつ、本体ユニットを反転することなく外郭の取付けるとなるので、組立時、コの字の取付具を締結した圧縮機側ベースパネルに外郭を被せての組立てが可能なため、一方向からのねじ止めができ、作業者の負担および工数を軽減できるという効果を奏する。
【００１９】
以下、本発明の実施の形態について図面を参照しながら説明する。
【００２０】
（実施の形態１）
図１および図２に示すように、浴室の天井裏に、冷媒を圧縮するための圧縮機１と、通過する空気に放熱するための第一熱交換器２と、冷媒を膨張するための膨張機構（図示せず）と、通過する空気から吸熱するための第二熱交換器３とを順に連結し、冷媒を流通させるための冷媒回路（図示せず）を設けた冷凍サイクルを箱状の外郭４内に配し、外郭４内部には通風路を形成する循環ファン５を有す送風機ユニット６を配し、側面には他室または浴室内の空気を排気する排気ファン７を有す排気ユニット８を配した本体ユニット９において、本体ユニット９下部には、圧縮機１と第一熱交換器２と第二熱交換器３を設置するベースパネル１０を設け、ベースパネル１０は、第二熱交換器３が下部に位置する部分に、第二熱交換器３より発生する結露水を受けるための傾斜を有するドレンパン１１と、主に圧縮機１および配管が設置される側の圧縮機側ベースパネル１２とに分割して構成され、ドレンパン１１と圧縮機側ベースパネル１２は、分割部でねじにより締結され、外郭４の内部に、鉛直方向にねじ穴を設けた少なくとも２個以上のコの字の取付具１３を介して外郭４に連結固定しており、ドレンパン１１および圧縮機側ベースパネル１２にコの字の取付具１３をねじにより装着後、外郭４を被せてねじ止め組立てする構成としている。
【００２１】
このような構成によれば、圧縮機１と第一熱交換器２と第二熱交換器３を設置するベースパネル１０を設け、ベースパネル１０を分割したことにより、ベースパネル１０を分割毎に各々、本体ユニット９の下方から着脱するので、本体ユニット９内の点検時、部品の脱着を容易にでき、かつ、高所での危険な作業を軽減できる。
【００２２】
また、分割したベースパネル１０の第二熱交換器３側を、ドレンパン１１としたことにより、ドレンパン１１で第二熱交換器３より発生した結露水を排出可能となり、そのドレンパン１１での単品で着脱するとなるので、ドレンパン１１単品での着脱が可能なためメンテナンス時、高所での作業が容易にできるとともに、ドレンパン１１を取外すことで、本体ユニット９の開口より本体ユニット９内部の構成部品のメンテナンスができる。
【００２３】
また、ドレンパン１１に、コの字の取付具１３を設け、外郭４と脱着できることにより、コの字の取付具１３を介して外郭４とドレンパン１１が固定されているため、ドレンパン１１の下方よりの取外しが可能となり、かつ、本体ユニット９を反転することなく外郭４の取付けをするとなるので、組立時、コの字の取付具１３を締結したドレンパン１１に外郭４を被せての組立てが可能なため、一方向からのねじ止めができ、作業者の負担および工数を軽減できる。
【００２４】
また、圧縮機側ベースパネル１２に、コの字の取付具１３を設け、外郭４と着脱可能としたことにより、圧縮機側ベースパネル１２の下方よりの取外しが可能となり、かつ、本体ユニット９を反転することなく外郭４の取付けるとなるので、組立時、コの字の取付具１３を締結した圧縮機側ベースパネル１２に外郭４を被せての組立てが可能なため、一方向からのねじ止めができ、作業者の負担および工数を軽減できる。
【００２５】
（実施の形態２）
図３〜図６において、図１および図２と同様の構成要素については同一の符号を付し、その詳細な説明は省略する。
【００２６】
図３および図４に示すように、略コの字状のドレンポンプ取付板１４に防振ゴム１５を介してねじ止めされるドレンポンプ１６は、外郭４内壁に成形した平面部１７に設置面の下方よりねじ止めして締結されており、本体ユニット９を設置状態で下方よりドレンパン１１を固定しているコの字の取付具１３締結のねじおよびドレンパン１１と圧縮機側ベースパネル１２の分割部を締結しているねじを外し、ドレンパン１１を外した時の開口より目視できる構成で、ドレンパン１１を外した状態の開口より外郭４内壁に固定したドレンポンプ取付板１４のねじを外せる位置に配置してドレンポンプ１６を外郭４より取り外せる構成としている。
【００２７】
また、図５および図６に示すように、ドレンパン１１を外した状態では、本体ユニット９と排気ファン７を有する排気ユニット８との連結部１８近傍、すなわち、外郭４内壁側面には多翼で成形されたダンパー１９も目視できる位置にあり、ダンパー１９はドレンパン１１を外した状態の開口より外郭４内壁に固定したダンパー１９のねじを外せる位置に配置してダンパー１９を外郭４より取り外せる構成としている。
【００２８】
上記構成において、ドレンパン１１を外した時に、ドレンポンプ１６が現れるように外郭４に設置することにより、ドレンパン１１を外して本体下方より目視できる外郭４の内壁に固定したドレンポンプ取付板１４に締結したドレンポンプ１６を配置させるとなるので、本体ユニット９下方よりドレンポンプ１６の確認ができ、本体ユニット９に装着した状態でお手入れができる。
【００２９】
また、ドレンポンプ１６を、外郭４から取り外せるという構成にしてもよい。これにより、ドレンパン１１を、外した状態で本体下部の開口より、外郭４に固定したドレンポンプ取付板１４の締結部が外せる位置に配置したとなるので、本体ユニット９下方よりドレンポンプ１６の確認、着脱が可能となり、ドレンポンプ１６のお手入れ、メンテナンスが容易にできる。
【００３０】
また、ドレンパン１１を外した時に、本体ユニット９と排気ユニット８との連結部１８に設けたダンパー１９が現れるように外郭に設置するという構成にしてもよい。これにより、ドレンパン１１を外して本体下方より目視できる位置で、排気ユニット８の連結部１８である外郭の内壁に、ダンパー１９を配置させたとなるので、本体ユニット９下方よりダンパー１９の確認ができ、本体ユニット９に装着した状態でお手入れができる。
【００３１】
また、ダンパー１９を、外郭４から取り外せるという構成にしてもよい。これにより、ドレンパン１１を外した状態で本体下部の開口より、外郭４に固定したダンパー１９が外せる位置に配置したとなるので、本体ユニット９下方よりダンパー１９の確認、着脱が可能となり、ダンパー１９のお手入れ、メンテナンスが容易にできる。
【産業上の利用可能性】
【００３２】
本発明にかかる換気空調装置は、本体ユニットにおいて、圧縮機と第一熱交換器と第二熱交換器を設置するベースパネルを分割したことで、本体ユニットの下方から着脱を可能とし、本体ユニット内の点検時、部品の脱着を容易にでき、かつ、高所での危険な作業を軽減できるものであるので、天井に設置して使用される冷凍サイクルを構成し圧縮機を搭載した換気空調装置等として有用である。
【符号の説明】
【００３３】
１    圧縮機
２    第一熱交換器
３    第二熱交換器
４    外郭
５    循環ファン
６    送風機ユニット
７    排気ファン
８    排気ユニット
９    本体ユニット
１０  ベースパネル
１１  ドレンパン
１２  圧縮機側ベースパネル
１３  コの字の取付具
１６  ドレンポンプ
１９  ダンパー
【図１】
2012193935.tif 000003
【図２】
2012193935.tif 000004
【図３】
2012193935.tif 000005
【図４】
2012193935.tif 000006
【図５】
2012193935.tif 000007
【図６】
2012193935.tif 000008
【図７】
2012193935.tif 000009